【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
炭酸カルシウム粒子の少なくとも一部を炭酸塩化して，それらが相互に結合して少なくとも一個の顔料粒子を含む炭酸カルシウム構造体を形成し，該炭酸カルシウム構造体が前記顔料粒子とともに実質的に不透明で安定な顔料−炭酸カルシウム凝集体を形成し、前記炭素塩化して相互に結合する炭酸カルシウム粒子が、前記少なくとも一個の含量粒子を少なくとも部分的に包むシェルを形成することを特徴とする、炭酸カルシウム粒子及び顔料粒子を含む顔料粒子組成物。
【請求項２】
前記炭酸カルシウム粒子が主に非球形であることを特徴とする請求項１に記載の組成物。
【請求項３】
前記炭酸カルシウム粒子が多核炭酸カルシウム構造体を形成し，これに顔料粒子が結合することを特徴とする請求項１又は２に記載の組成物。
【請求項４】
前記炭酸カルシウム粒子の結晶形がカルサイト又はアルゴナイトであり、外形が少なくとも大部分斜方晶又は菱面体晶であることを特徴とする請求項１〜３のいずれか一項に記載の組成物。
【請求項５】
前記炭酸カルシウム結晶が，乾燥顔料組成物及び顔料組成物の水性スラリーの両方で前記顔料粒子の少なくとも大部分，通常９５％超に結合したままであるように，前記炭酸カルシウム結晶を前記顔料粒子の少なくとも大部分、通常９５％超に結合することを特徴とする請求項１〜４のいずれか一項に記載の組成物。
【請求項６】
前記炭酸カルシウム粒子で形成したシェルが，部分的に又は全体的に，約１〜２０個，特には約１〜１０個，好適には１〜３個の顔料粒子を包むことを特徴とする請求項１〜５のいずれか一項に記載の組成物。
【請求項７】
前記炭酸カルシウム構造体が、平均粒径が約２０〜２５０ｎｍである炭酸カルシウム粒子で形成されることを特徴とする請求項１〜６のいずれか一項に記載の組成物。
【請求項８】
前記顔料組成物が、分散剤、表面改質剤及び安定化剤もしくはそれらの混合物などの他の成分を含むことを特徴とする請求項１〜７のいずれか一項に記載の組成物。
【請求項９】
前記顔料粒子と炭酸カルシウム粒子との重量比が，約９０：１０〜５：９５，好適には約６０：４０〜５：９５，特には約４０：６０〜１０：９０であることを特徴とする請求項１〜８のいずれか一項に記載の組成物。
【請求項１０】
水酸化カルシウムを炭酸塩化して炭酸カルシウムを生成し，次に顔料組成物を生成するために顔料粒子を含む水酸化カルシウム含有水性スラリーを二酸化炭素含有ガス中に噴霧し，かつ
顔料組成物中の炭酸カルシウムの割合が所定の重量百分率と等価であるように水性スラリー中の水酸化カルシウムの量を選択することにより製造が可能であることを特徴とする請求項１〜９のいずれか一項に記載の組成物。
【請求項１１】
前記顔料粒子を含む水酸化カルシウム含有水性スラリーを高エネルギー混合ゾーンに導き，ここで前記水性スラリーを滴状，さらに霧滴状に破砕し，その後二酸化炭素含有ガス内に滴下し、前記炭酸塩化反応を，実質的に全ての水酸化カルシウムが炭酸カルシウムに転換するまで継続し、前記顔料粒子の水酸化カルシウム含有水性スラリーが少なくとも実質的に繊維を含まないことを特徴とする請求項１０に記載の組成物。
【請求項１２】
前記顔料が二酸化チタン，水酸化アルミニウム，硫酸バリウム，カオリン，石膏，粉砕又は沈降炭酸カルシウム，チョークもしくはそれらの混合物などの光散乱及び／又は吸収顔料であるか，又はプラスチック顔料及びファーネスブラックもしくはそれらの混合物などの有機顔料材料であることを特徴とする請求項１〜１１のいずれか一項に記載の組成物。
【請求項１３】
前記顔料粒子が酸化チタンであり、一部又は全部の二酸化チタンを炭酸カルシウムによって置換する用途では，１０：９０〜３０：７０の二酸化チタンと炭酸カルシウムの重量比率で組成物をもちいることにより達成し得る不透明度が，１００％二酸化チタンのものに少なくとも近いものであり、前記顔料粒子として用いる二酸化チタンの結晶形が、ルチル又はアナターゼであることを特徴とする請求項１〜１２のいずれか一項に記載の組成物。
【請求項１４】
前記顔料粒子を前記炭酸カルシウム構造体によって相互に分離し，顔料粒子間の距離が平均で少なくとも約６０ｎｍ，好適には少なくとも約１００ｎｍ，最も好適には少なくとも約１２０ｎｍになるようにすることを特徴とする請求項１〜１３のいずれか一項に記載の組成物。
【請求項１５】
上記炭酸カルシウム構造体によって形成したシェルの厚さが平均で少なくとも約 ３０ｎｍ，特には少なくとも約５０ｎｍ，最も好適には約６０〜５００ｎｍであることを特徴とする請求項１〜１４のいずれか一項に記載の組成物。
【請求項１６】
水酸化カルシウムを炭酸塩化して炭酸カルシウムを生成し，次に炭酸カルシウムを含む顔料組成物を生成するために顔料粒子を含む水酸化カルシウム含有水性スラリーを二酸化炭素含有ガス中に噴霧し，
顔料組成物中の炭酸カルシウムの割合が所定の重量百分率と等価であるように、前記水性スラリー中の水酸化カルシウムの量を選択し
相互に結合すべき炭酸カルシウム粒子を沈降するために，前記水酸化カルシウムを炭酸塩化し，該炭酸塩化を実質的に全ての水酸化カルシウムが炭酸カルシウムに転換するまで継続することを特徴とする前記顔料粒子を前記炭酸カルシウム粒子と組合わせることによる請求項１〜１５のいずれか一項に記載の組成物の製造方法。
【請求項１７】
過剰量の二酸化炭素中で行い、前記炭酸塩化を、顔料スラリーのｐＨ値が実質的に中性になるまで、任意の別個の酸を添加することなく継続することを特徴とする請求項１６に記載の方法。
【請求項１８】
前記炭酸塩化を数段階で実施し、前記水酸化カルシウム含有水性スラリーの二酸化炭素ガス中への噴霧の結果で、かつまた炭酸塩化の結果である水性スラリーを回収し，更なる炭酸塩化に導き、好適には、前記水性スラリーを二酸化炭素ガス内にもう一回噴霧するか又は前記スラリーに二酸化炭素ガスをバブリングすることによって前記スラリーを更に炭酸塩化することを特徴とする請求項１６又は１７に記載の方法。
【請求項１９】
前記水性スラリーを少なくとも一回滴下するように連続的に炭酸塩化を実施することを特徴とする請求項１６〜１８のいずれか一項に記載の方法。
【請求項２０】
前記水酸化カルシウム含有水性スラリーの少なくとも実質的に全てを顔料粒子と共に炭酸塩化に添加することを特徴とする請求項１６〜１９のいずれか一項に記載の方法。
【請求項２１】
前記水酸化カルシウム含有水性スラリーを数段階で前記炭酸塩化に添加し、特に、前記水酸化カルシウム含有水性スラリーの少なくとも一部が、炭酸塩化に供給する際に顔料を含まないことを特徴とする請求項１６〜２０のいずれか一項に記載の方法。
【請求項２２】
最終顔料組成物中の炭酸カルシウムの割合が所定の重量百分率に対応するように，前記炭酸塩化の水性スラリー中の水酸化カルシウム及び炭酸カルシウムの量を選択することによって，前記光散乱顔料と炭酸カルシウムの重量比を所望の比率に調整し、好適には、前記顔料を徐々に添加し、場合により上記炭酸カルシウムから分離することを特徴とする請求項２１に記載の方法。
【請求項２３】
前記光散乱顔料粒子を含む水酸化カルシウム含有水性スラリーを高エネルギー混合ゾーンに導き，ここで前記スラリーを滴状，さらに霧滴状に破砕し，その後二酸化炭素含有ガス内に滴下することを特徴とする請求項１６〜２２のいずれか一項に記載の方法。
【請求項２４】
前記混合ゾーンが，反対方向にもしくは同一方向だが大きな速度差で回転するローターブレードを用いるか，又はローター・ステーター組み合わせ体を用いることによって，顔料を含む水酸化カルシウム含有水性スラリーを微細粒子，液滴又は固体粒子もしくはそれらの混合物に滴下する少なくとも一台のインパクトミキサーを備え、約３０〜１００℃，典型的には５０〜８０℃の温度で実施することを特徴とする請求項２３に記載の方法。
【請求項２５】
炭酸カルシウム粒子を沈殿させて，炭酸カルシウム粒子が二酸化チタン粒子の表面に結合し、炭酸塩化して他の炭酸カルシウム粒子に結合するようにし，ここで少なくとも部分的に炭酸カルシウム粒子で覆われた実質的に不透明で安定な二酸化チタン−炭酸カルシウム凝集体を生成することを特徴とする請求項１６〜２４のいずれか一項に記載の方法。
【請求項２６】
前記チタン顔料粒子の水酸化カルシウム含有水性スラリーが少なくとも実質的に繊維を含まないことを特徴とする請求項１６〜２５のいずれか一項に記載の方法。
【請求項２７】
顔料の少なくとも１重量％が請求項１〜１５のいずれか一項に記載の組成物からなることを特徴とする顔料，結合剤，及び塗料に用いる通常の製造材料及び添加剤を含む塗料組成物。
【請求項２８】
顔料の少なくとも１重量％が請求項１〜１５のいずれか一項に記載の組成物からなることを特徴とする顔料，結合剤，及び被覆材料に用いる通常の製造材料及び添加剤を含む被覆材料組成物。
【請求項２９】
顔料の少なくとも１重量％が請求項１〜１５のいずれか一項に記載の組成物からなることを特徴とする顔料，及び充填組成物に用いる通常の製造材料及び添加剤を含む充填材組成物。
【請求項３０】
顔料の少なくとも１重量％が請求項１〜１５のいずれか一項に記載の組成物からなることを特徴とする前記顔料に混合した熱可塑性ポリマーと，場合によりポリマー組成物に用いる通常の製造材料及び添加剤とを含むポリマー組成物。
【請求項３１】
顔料の少なくとも１重量％が請求項１〜１５のいずれか一項に記載の組成物からなることを特徴とする液相で混合した顔料と、結合剤と、場合により印刷インキ組成物に用いる着色顔料並びに他の製造材料並びに添加剤とを含む印刷インキ組成物。
【請求項３２】
顔料の５重量％以上、好適には２０重量％以上が、請求項１〜１４のいずれか一項に記載の組成物を含み，該組成物中の光散乱顔料が二酸化チタンであることを特徴とする請求項２６〜３０のいずれか一項に記載の組成物。
【請求項３３】
塗料，紙又は板紙中の被覆材料組成物，紙又は板紙中の充填材組成物，プラスチック又は印刷インキにおける顔料としての請求項１〜１４のいずれか一項に記載の組成物の使用であり、前記光散乱顔料が二酸化チタンであることを特徴とする使用。